(57)【要約】      （修正有）【課題】手の力で魚の骨を抜かずに、毛抜きのようなものを使って、機械的に連続して確実に抜けるようにする。また、魚の骨抜き機を安価で製作できるようにする。【解決手段】毛抜き形掴み機を使って機械的に前後にスライドするように偏心軸１１−２を使い、カム板１１とテコ棒２１と押さえスライド板棒２０を使って、回転するカム板１１の外周面の上段と下段にテコ棒２１のローラーが乗ることでテコ棒２１と連動する押さえスライド板棒２０によって毛抜き形掴み機の上側８−２が上下に動き、毛抜き形掴み機が拳銃形の本体の前の最先端に来た時に魚の骨を掴み、毛抜き形掴み機が後ろに来たときに魚の骨を放すようにした。【選択図】図１
2012235725.tif 000002
【特許請求の範囲】
【請求項１】
毛抜き形掴み機（８）を使って魚の骨（１９）を機械的に引き抜くようにするために拳銃形の本体（１）の砲身に当たる部分（２）にスライド面（９）を設け、そのスライド面（９）をスライドする毛抜き形掴み機（８）を取り付ける滑り台（１０）を設け、その滑り台（１０）はスライド面（９）の後ろ側に設けた円形状のカム板（１１）の偏心軸（１１−２）と連結棒（１８）で連結させカム板（１１）が回転することによって毛抜き形掴み機（８）を取り付けた滑り台（１０）がスライド面（９）を前後に往復し、さらに毛抜き形掴み機（８）が最先端にスライドした時に魚の骨（１９）を掴んでそのまま毛抜き形掴み機（８）が後側にスライドするように、毛抜き形つかみ機（８）の上側（８−２）を押さえる押さえスライド板棒（２０）を設け、その押さえスライド板棒（２０）の後ろ側の末端を支点にして上下に動くように拳銃形の本体（１）で支え、押さえスライド板棒（２０）が毛抜き形掴み機（８）を上から押さえるようにヘの字形のテコ棒（２１）を設け、そのテコ棒（２１）の先端の作用点を押さえスライド板棒（２０）と連結させ、テコ棒（２１）の支点を拳銃形の本体（１）で支え、テコ棒（２１）の後端の力点はローラー（２２）を回転可能に取り付け、毛抜き形掴み機（８）が本体（１）の先端にスライドした時にテコ棒（２１）のローラー（２２）が前記回転する円形状のカム板（１１）の外周の上段（１１−３）に乗ることによってテコ棒（２１）の作用点によって押さえスライド板棒（２０）が下がり毛抜き形掴み機の上側（８−２）を押さえることにより魚の骨（１９）を掴むようになり、掴んだまま後側にスライドした時にローラー（２２）がカム板（１１）の外周の下段（１１−４）に乗り始めテコ棒（２１）によって押さえスライド板棒（２０）が上がり毛抜き形掴み機の上側（８−２）が上がることで魚の骨（１９）を放すようになるが、毛抜き形掴み機（８）が開いても魚の骨（１９）が付いている時があるため毛抜き形掴み機の上側（８−２）と下側（８−１）の先を掃除するブラシ（２３）を設け、毛抜き形掴み機（８）が前後にスライドしている時にもブラシ（２３）を毛抜き形掴み機の上側（８−２）と下側（８−１）の間を通り橋渡しするようにスライド面（９）の外側の両側から取り付けたことを特徴とする魚の骨抜き機。  
【請求項２】
上記魚の骨抜き機において、拳銃形の本体（１）は板で製作し、本体板（１−１）と（１−２）を二枚設け、その二枚の本体板（１−１）と（１−２）は向かい合わせの位置で平行に同間隔で空けて間隔ピン（６）によって保持され、保持された二枚の本体板（１−１）と（１−２）の先端（７）は互いに後記する毛抜き形掴み機の下側（８−１）の先の形状に合わせて内側に曲げて接合し、スライド面（９）は二枚の本体板（１−１）と（１−２）の先端（７）を除く砲身にあたる部分（２）を間隔空間の内側に９０度曲げることによってスライド面（９）を作り、そのスライド面（９）を往復する横Ｈ形の滑り台（１０）を設け、その横Ｈ形の滑り台（１０）の両側の中の溝（１０−１）に前記スライド面（９）を入れることによってスライドさせ、その横Ｈ型の滑り台（１０）の上の前側に毛抜き形掴み機（８）を取り付け、滑り台（１０）の後側の横の片方には外側に出るように連結ピン（１０−２）を取り付け、滑り台（１０）を往復させるためにスライド面（９）の後ろにある二枚の本体板（１−１）と（１−２）の円形の部分（３）の間に円形状のカム板（１１）を設け、カム板（１１）の中心には中心軸（１１−１）を取り付け、その中心軸（１１−１）は片方の本体板（１−１）の軸受けの穴（１２）によって回転可能に取り付けられ、その本体板（１−１）の軸受けの穴（１２）に入る中心軸（１１−１）はその本体板（１−１）の外側でカム板（１１）を回転させるギア（１４）が取り付けられカム板（１１）と同軸同回転し、中心軸（１１−１）の末端部はギア（１４）を被うケーシング（１５）の軸受け（１３）の穴によって回転可能に保持され、その軸受け（１３）の穴からギア（１４）の半径分とモーター軸のギア（１６−１）の半径分の位置ぐらいに穴を開け、その穴にモーター軸のギア（１６−１）を入れケーシング（１５）の上からモーター（１６）が下向きに付けられケーシング（１５）の中で前記ギア（１４）とモーター軸のギア（１６−１）によって前記カム板（１１）が伝動回転し、又、カム板（１１）の中心軸（１１−１）の反対側の中心より偏心させた距離の位置に偏心軸（１１−２）を取り付け、もう一方の本体板（１−２）の円形の部分（３）の内側でカム板（１１）の偏心軸（１１−２）を円形軌道で動かす直径よりやや大きく偏心軸（１１−２）に当たらないように円形の穴（３−１）を開け、その本体板（１−２）の外側で偏心軸（１１−２）と前記滑り台（１０）の後ろ側の横に取り付けた連結ピン（１０−２）を連結棒（１８）によって連結させることによりカム板（１１）が回転すると毛抜き形掴み機（８）を取り付けた滑り台（１０）がスライド面（９）を往復し、毛抜き形掴み機（８）が本体（１）の最先端にスライドした時に魚の骨（１９）を掴んでそのまま引き抜きながら後側にスライドするように、毛抜き形掴み機（８）の上側（８−２）を押さえる押さえスライド板棒（２０）を設け、その押さえスライド板棒（２０）の後ろ側の末端は本体板のスライド面（９）の後端の上側の位置を支点にして押さえスライド板棒（２０）が上下に動くようにピン（２０−２）によって二枚の本体板（１−１）と（１−２）の間で支えられ、さらにへの字形のテコ棒（２１）を設け、そのテコ棒（２１）の作用点になる先端は押さえスライド板棒（２０）の滑り面（２０−１）の上側の両側を挟むようにピン（２１−１）によって取り付け、テコ棒（２１）の支点になる部分は拳銃形の本体板（１−１）と（１−２）の円形の部分（３）の前の上側のコブのような部分（４）でピン（２１−２）によって二枚の本体板（１−１）と（１−２）の間で支え、テコ棒（２１）の力点になる後端にはピン（２２−１）によってローラー（２２）を回転可能に取り付け、テコ棒（２１）のローラー（２２）が回転するカム板（１１）の外周面で跳ね上がらないようにバネ（２１−５）で押さえるように、そのローラー（２２）の前にあるテコ棒（２１）の側面にバネ用のピン（２１−６）を打ち込み、そのピン（２１−６）の外端は本体板（１−１）に設けたバネ用のピン（２１−６）が入る上下に長い穴の抜け穴（２１−７）を通り外側に出し、そのピン（２１−６）の外端部の外周にバネ（２１−５）の上側を取り付け、そのバネ（２１−５）の下側は本体板（１−１）のスライド面（９）の後端の下近くのネジ穴（２１−９）に取り付けたネジに引っ掛けるようにして、ローラー（２２）が前記回転する円形状のカム板（１１）の外周面の上段（１１−３）に乗り始めた時は毛抜き形掴み機（８）が最先端に来た時でテコ棒（２１）の支点より後ろ側は上に動き、テコ棒（２１）の支点より前側は下に動くことにより押さえスライド板棒（２０）が押さえられることによって毛抜き形掴み機の上側（８−２）が下に動くことで魚の骨（１９）を掴むようになり、それを掴んだままスライドして後側に来た時はローラー（２２）がカム板（１１）の外周面の下段（１１−４）に乗ることによってテコ棒（２１）の支点より後ろ側は下に動き、テコ棒（２１）の支点より前側は上に動くことにより押さえスライド板棒（２０）が上がることによって毛抜き形掴み機の上側（８−２）が上に動くことにより毛抜き形掴み機（８）が開き魚の骨（１９）を放すようになり、毛抜き形掴み機（８）が開いても毛抜き形掴み機（８）の先に魚の骨（１９）が付いている時があるため掃除用のブラシ（２３）を設け、毛抜き形掴み機の上側（８−２）と下側（８−１）が開いた時毛抜き形掴み機（８）の先を掃除するために、テコ棒（２１）のローラー（２２）がカム板（１１）の外周の上段（１１−３）から下段（１１−４）に乗るタイミングを早くすることによって毛抜き形掴み機（８）がスライドする最後端の手前で毛抜き形掴み機の上側（８−２）が上がり開くようになり毛抜き形掴み機（８）が最後端にスライドした時にブラシ（２３）を毛抜き形掴み機の上側（８−２）と下側（８−１）の先の間に入る位置か、その先のやや前に出る位置で取り付らけれるようにスライド面（９）の外側の本体板（１−１）と（１−２）の両側にブラシ（２３）の取り付け板（２３−１）を取り付け、毛抜き形掴み機の上側（８−２）と下側（８−１）の間を通り橋渡しするようにブラシ（２３）を取り付けたことを特徴とする請求項１記載の魚の骨抜き機。
【発明の詳細な説明】
【技術分野】
【０００１】
本発明は魚の骨抜き機に関するものである。
【背景技術】
【０００２】
従来は魚の骨を抜く際、毛抜きやペンチを使って手の力で魚の骨を抜いていた。又、毛抜きを使って機械的に抜く技術があった（特開平０８−３０８４２６）。
【先行技術文献】
【特許文献】
【０００３】
【特許文献１】特開平０８−３０８４２６
【発明の概要】
【発明が解決しようとする課題】
【０００４】
現在、使われている魚の骨を抜く方法は人間の手でペンチや毛抜きを使って抜いているが時間がかかり疲れてしまいます。一本ずつ骨を抜く機械もあるが遅いのと職人が手を使ってペンチで抜いたほうがその機械よりも早いし効率が良い。又、魚の肉部に入っている沢山の骨を一度に全部抜く機械もあるが高価であることと抜き残しがあり、検査時に抜き残しを人間の手でペンチや毛抜きを使って骨を抜いている。
【課題を解決するための手段】
【０００５】
本発明は請求項１として、毛抜き形掴み機（８）を使って魚の骨（１９）を機械的に引き抜くようにするために拳銃形の本体（１）の砲身に当たる部分（２）にスライド面（９）を設け、そのスライド面（９）をスライドする毛抜き形掴み機（８）を取り付ける滑り台（１０）を設け、その滑り台（１０）はスライド面（９）の後ろ側に設けた円形状のカム板（１１）の偏心軸（１１−２）と連結棒（１８）で連結させカム板（１１）が回転することによって毛抜き形掴み機（８）を取り付けた滑り台（１０）がスライド面（９）を前後に往復し、さらに毛抜き形掴み機（８）が最先端にスライドした時に魚の骨（１９）を掴んでそのまま毛抜き形掴み機（８）が後側にスライドするように、毛抜き形つかみ機（８）の上側（８−２）を押さえる押さえスライド板棒（２０）を設け、その押さえスライド板棒（２０）の後ろ側の末端を支点にして上下に動くように拳銃形の本体（１）で支え、押さえスライド板棒（２０）が毛抜き形掴み機（８）を上から押さえるようにヘの字形のテコ棒（２１）を設け、そのテコ棒（２１）の先端の作用点を押さえスライド板棒（２０）と連結させ、テコ棒（２１）の支点を拳銃形の本体（１）で支え、テコ棒（２１）の後端の力点はローラー（２２）を回転可能に取り付け、毛抜き形掴み機（８）が本体（１）の先端にスライドした時にテコ棒（２１）のローラー（２２）が前記回転する円形状のカム板（１１）の外周の上段（１１−３）に乗ることによってテコ棒（２１）の作用点によって押さえスライド板棒（２０）が下がり毛抜き形掴み機の上側（８−２）を押さえることにより魚の骨（１９）を掴むようになり、掴んだまま後側にスライドした時にローラー（２２）がカム板（１１）の外周の下段（１１−４）に乗り始めテコ棒（２１）によって押さえスライド板棒（２０）が上がり毛抜き形掴み機の上側（８−２）が上がることで魚の骨（１９）を放すようになるが、毛抜き形掴み機（８）が開いても魚の骨（１９）が付いている時があるため毛抜き形掴み機の上側（８−２）と下側（８−１）の先を掃除するブラシ（２３）を設け、毛抜き形掴み機（８）が前後にスライドしている時にもブラシ（２３）を毛抜き形掴み機の上側（８−２）と下側（８−１）の間を通り橋渡しするようにスライド面（９）の外側の両側から取り付けたことを特徴とする魚の骨抜き機である。
【０００６】
請求項２として上記魚の骨抜き機において、拳銃形の本体（１）は板で製作し、本体板（１−１）と（１−２）を二枚設け、その二枚の本体板（１−１）と（１−２）は向かい合わせの位置で平行に同間隔で空けて間隔ピン（６）によって保持され、保持された二枚の本体板（１−１）と（１−２）の先端（７）は互いに後記する毛抜き形掴み機の下側（８−１）の先の形状に合わせて内側に曲げて接合し、スライド面（９）は二枚の本体板（１−１）と（１−２）の先端（７）を除く砲身にあたる部分（２）を間隔空間の内側に９０度曲げることによってスライド面（９）を作り、そのスライド面（９）を往復する横Ｈ形の滑り台（１０）を設け、その横Ｈ形の滑り台（１０）の両側の中の溝（１０−１）に前記スライド面（９）を入れることによってスライドさせ、その横Ｈ型の滑り台（１０）の上の前側に毛抜き形掴み機（８）を取り付け、滑り台（１０）の後側の横の片方には外側に出るように連結ピン（１０−２）を取り付け、滑り台（１０）を往復させるためにスライド面（９）の後ろにある二枚の本体板（１−１）と（１−２）の円形の部分（３）の間に円形状のカム板（１１）を設け、そのカム板（１１）の中心には中心軸（１１−１）を取り付け、その中心軸（１１−１）は片方の本体板（１−１）の軸受けの穴（１２）によって回転可能に取り付けられ、その本体板の軸受けの穴（１２）に入る中心軸（１１−１）はその本体板（１−１）の外側でカム板（１１）を回転させるギア（１４）が取り付けられカム板（１１）と同軸同回転し、中心軸（１１−１）の末端部はギア（１４）を被うケーシング（１５）の軸受け（１３）の穴によって回転可能に保持され、その軸受け（１３）の穴からギア（１４）の半径分とモーター軸のギア（１６−１）の半径分の位置ぐらいに穴を開け、その穴にモーター軸のギア（１６−１）を入れケーシング（１５）の上からモーター（１６）が下向きに付けられケーシング（１５）の中で前記ギア（１４）とモーター軸のギア（１６−１）によって前記カム板（１１）が伝動回転し、又、カム板（１１）の中心軸（１１−１）の反対側の中心より偏心させた距離の位置に偏心軸（１１−２）を取り付け、もう一方の本体板（１−２）の円形の部分（３）の内側でカム板（１１）の偏心軸（１１−２）を円形軌道で動かす直径よりやや大きく偏心軸（１１−２）に当たらないように円形の穴（３−１）を開け、その本体板（１−２）の外側で偏心軸（１１−２）と前記滑り台（１０）の後ろ側の横に取り付けた連結ピン（１０−２）を連結棒（１８）によって連結させることによりカム板（１１）が回転すると毛抜き形掴み機（８）を取り付けた滑り台（１０）がスライド面（９）を往復し、毛抜き形掴み機（８）が本体（１）の最先端にスライドした時に魚の骨（１９）を掴んでそのまま引き抜きながら後側にスライドするように、毛抜き形掴み機（８）の上側（８−２）を押さえる押さえスライド板棒（２０）を設け、その押さえスライド板棒（２０）の後ろ側の末端は本体板のスライド面（９）の後端の上側の位置を支点にして押さえスライド板棒（２０）が上下に動くようにピン（２０−２）によって二枚の本体板（１−１）と（１−２）の間で支えられ、さらにへの字形のテコ棒（２１）を設け、そのテコ棒（２１）の作用点になる先端は押さえスライド板棒（２０）の滑り面（２０−１）の上側の両側を挟むようにピン（２１−１）によって取り付け、テコ棒（２１）の支点になる部分は拳銃形の本体板（１−１）と（１−２）の円形の部分（３）の前の上側のコブのような部分（４）でピン（２１−２）によって二枚の本体板（１−１）と（１−２）の間で支え、テコ棒（２１）の力点になる後端にはピン（２２−１）によってローラー（２２）を回転可能に取り付け、テコ棒（２１）のローラー（２２）が回転するカム板（１１）の外周面で跳ね上がらないようにバネ（２１−５）で押さえるように、そのローラー（２２）の前にあるテコ棒（２１）の側面にバネ用のピン（２１−６）を打ち込み、そのピン（２１−６）の外端は本体板（１−１）に設けたバネ用のピン（２１−６）が入る上下に長い穴の抜け穴（２１−７）を通り外側に出し、そのピン（２１−６）の外端部の外周にバネ（２１−５）の上側を取り付け、そのバネ（２１−５）の下側は本体板（１−１）のスライド面（９）の後端の下近くのネジ穴（２１−９）に取り付けたネジに引っ掛けるようにして、ローラー（２２）が前記回転する円形状のカム板（１１）の外周面の上段（１１−３）に乗り始めた時は毛抜き形掴み機（８）が最先端に来た時でテコ棒（２１）の支点より後ろ側は上に動き、テコ棒（２１）の支点より前側は下に動くことにより押さえスライド板棒（２０）が押さえられることによって毛抜き形掴み機の上側（８−２）が下に動くことで魚の骨（１９）を掴むようになり、それを掴んだままスライドして後側に来た時はローラー（２２）がカム板（１１）の外周面の下段（１１−４）に乗ることによってテコ棒（２１）の支点より後ろ側は下に動き、テコ棒（２１）の支点より前側は上に動くことにより押さえスライド板棒（２０）が上がることによって毛抜き形掴み機の上側（８−２）が上に動くことにより毛抜き形掴み機（８）が開き魚の骨（１９）を放すようになり、毛抜き形掴み機（８）が開いても毛抜き形掴み機（８）の先に魚の骨（１９）が付いている時があるため掃除用のブラシ（２３）を設け、毛抜き形掴み機の上側（８−２）と下側（８−１）が開いた時毛抜き形掴み機（８）の先を掃除するために、テコ棒（２１）のローラー（２２）がカム板（１１）の外周の上段（１１−３）から下段（１１−４）に乗るタイミングを早くすることによって毛抜き形掴み機（８）がスライドする最後端の手前で毛抜き形掴み機の上側（８−２）が上がり開くようになり毛抜き形掴み機（８）が最後端にスライドした時にブラシ（２３）を毛抜き形掴み機の上側（８−２）と下側（８−１）の先の間に入る位置か、その先のやや前に出る位置で取り付らけれるようにスライド面（９）の外側の本体板（１−１）と（１−２）の両側にブラシ（２３）の取り付け板（２３−１）を取り付け、毛抜き形掴み機の上側（８−２）と下側（８−１）の間を通り橋渡しするようにブラシ（２３）を取り付けたことを特徴とする請求項１記載の魚の骨抜き機である。
【０００７】
毛抜き形掴み機（８）を使って機械的に魚の骨（１９）を掴んで引き抜く方法で拳銃のような骨抜き機を考え、砲身にあたる部分（２）にスライド面（９）を作り、毛抜き形掴み機（８）をカム板（１１）の偏心軸（１１−２）を使ってスライドさせ前後に往復させながらカム板（１１）とテコ棒（２１）と押さえスライド板棒（２０）を使って、回転するカム板の外周面の上段（１１−３）と下段（１１−４）にテコ棒（２１）のローラー（２２）が乗ることでテコ棒（２１）と連動する押さえスライド板棒（２０）によって毛抜き形掴み機の上側（８−２）が上下に動き、毛抜き形掴み機（８）が拳銃形の本体の前の最先端に来た時に魚の骨（１９）を掴み、毛抜き形掴み機（８）が後ろに来た時に魚の骨（１９）を放すようにしたことを解決手段とした。
【発明の効果】
【０００８】
拳銃の砲身にあたる部分（２）にスライド面（９）を作り、毛抜き形掴み機（８）をスライドさせながら往復させ、砲身にあたる部分（２）の前側の先端（７）に毛抜き形掴み機（８）がスライドした時に魚の骨（１９）を掴んでそのまま後ろにスライドさせ後端に来た時に毛抜き形掴み機（８）が開き魚の骨（１９）を放すようにしたことで、骨抜き時間が短かくなり魚の骨（１９）を抜く作業コストが低くなり、骨抜き機も安価で製作できるようになる。
【図面の簡単な説明】
【０００９】
【図１】この発明の構成を示す側面図。
【図２】この発明のギア部の構成を示す側面図とハンド部の後ろ側から見た図。
【図３】この発明のスライドの構成を示す上面図。
【図４】この発明の拳銃形の本体板のカムの中心軸の取り付け側の側面図。
【図５】この発明の拳銃形の本体板のカムの偏心軸の円形軌道側の側面図。
【図６】この発明に取り付ける毛抜き形掴み機の上面図と側面図。
【図７】この発明の滑り台の前面図と側面図とそれに取り付ける連結ピンの図。
【図８】この発明の連結棒の上面図と側面図。
【図９】この発明のカム板と中心軸と偏心軸の取り付けを示す図。
【図１０】この発明のギアの側面図と正面図。
【図１１】この発明の押さえスライド板棒の上面図と側面図と支点ピンの図。
【図１２】この発明のテコ棒の構成を示す上面図と側面図とそれに取り付けるピンとバネとローラーの図。
【図１３】この発明の滑り台と毛抜き形掴み機の取り付けを示す図とスライド面と滑り台の取り付けを示す図と毛抜き形掴み機の先と本体板の先の状態を示す図。
【図１４】この発明のブラシとその取り付け板の図。
【図１５】この発明の毛抜き形掴み機が本体板の先端の手前にある状態の構成を示す側面図。
【図１６】この発明の毛抜き形掴み機が最先端にスライドした状態の構成を示す側面図。
【図１７】この発明の毛抜き形掴み機が後へスライドして中間にある状態の構成を示す側面図。
【図１８】この発明の毛抜き形掴み機が最後端の手前にスライドした状態の構成を示す側面図。
【図１９】この発明の毛抜き形掴み機が最後端にスライドした状態の構成を示す側面図。
【図２０】この発明の毛抜き形掴み機が前へスライドして中間にある状態の構成を示す側面図。
【発明を実施するための形態】
【００１０】
図１、図２をこの発明の拳銃形の骨抜き機の主体的な構成図として、図６の毛抜きのような毛抜き形掴み機（８）を使って魚の骨（１９）を機械的に引き抜くようにするために図４、図５のように拳銃形の本体（１）の板を二枚（１−１）と（１−２）設け、その二枚の本体板（１−１）と（１−２）は砲身にあたる部分（２）とその後ろ側に位置する円形の部分（３）とその前上側に位置するコブのような部分（４）と円形の部分の下側に位置する魚の骨抜き機本体を手で持つためのハンド部分（５）で構成している。二枚の本体板（１−１）と（１−２）は向かい合わせの位置で図２の（２）と（３）のように平行に空けて同間隔で間隔ピン（６）によって保持され、その間隔ピン（６）の胴体部が二枚の板（１−１）と（１−２）の間隔距離になり、両端はネジ部になっており間隔ピン（６）のネジ部を入れる穴（６−１）は図４、図５では１０箇所ずつあり二枚の本体板（１−１）と（１−２）をメネジで止め固定している。保持された二枚の本体板（１−１）と（１−２）の先端（７）は魚の骨に照準を合わせて骨を乗せる場所であり、図３、図１３の（３）（４）のように二枚の本体板の先端（７）は互いに後記する毛抜き形掴み機（８）の下側（８−１）の先の形状に合わせて内側に曲げて接合して、毛抜き形掴み機（８）が先端（７）に最接近した時、その接合している先端（７）の上側より毛抜き形掴み機の下側（８−１）の先が僅かに下に位置しなければならない。
【００１１】
図３、図４、図５のように、二枚の本体板（１−１）と（１−２）の砲身にあたる部分（２）で二枚の本体板（１−１）と（１−２）を間隔空間の内側に９０度曲げることによってスライド面（９）を作り、そのスライド面（９）を往復する前から見て図７の横Ｈ形の滑り台（１０）を設け、図１３の（２）のようにその横Ｈ形の滑り台（１０）の両側の中の溝（１０−１）に前記スライド面（９）を入れることによってスライドさせ、その横Ｈ型の滑り台（１０）の上の前側に図１３の（１）と（２）のように毛抜き形掴み機（８）の下側（８−１）をネジで取り付け、その滑り台の後側の横の片方には外側に出るように連結ピン（１０−２）を取り付けている。この連結ピン（１０−２）が後記する連結棒（１８）の前側の穴（１８−１）に入って連結する。    
【００１２】
滑り台（１０）を往復させるために図２、図３のようにスライド面（９）の後ろにある二枚の本体板（１−１）と（１−２）の円形の部分（３）の間に図９の円形状のカム板（１１）を設け、カム板（１１）の中心（１１−１−１）の穴には中心軸（１１−１）を取り付け、その中心軸（１１−１）は片方の本体板（１−１）に鍔付の軸受け（１３）が入る穴（１２）によってその軸受け（１３）の中で回転可能に取り付けられ、その本体板の軸受け（１３）に入る中心軸（１１−１）はその本体板（１−１）の外側でカム板（１１）を回転させる図１０のギア（１４）が取り付けられカム板（１１）と同軸同回転し、中心軸（１１−１）のギア（１４）が入る場所にはキー溝が加工され、ギア（１４）にもキー溝が加工されキーによって動かぬようにして、ギア（１４）が軸方向に動かぬように中心軸（１１−１）にはスナップリング溝（１７）が加工されスナップリングが嵌めれるようにしている。中心軸（１１−１）の末端は図２の（１）と（２）のようにギア（１４）を被うケーシング（１５）の鍔付きの軸受け（１３）の穴に入り、本体板の中心軸（１１−１）が入る軸受け（１３）と共にカム板（１１）とギア（１４）を回転可能に保持している。そのケーシング（１５）の中心軸の軸受けの穴からギア（１４）の半径分とモーター軸のギア（１６−１）の半径分の位置ぐらいに穴を開け、その穴にモーター軸のギア（１６−１）を入れケーシング（１５）の上からモーター（１６）が下向きに取り付けられケーシング（１５）の中で中心軸（１１−１）のギア（１４）とモーター軸のギア（１６−１）によって二枚の本体板（１−１）と（１−２）の円形の部分（３）の間でカム板（１１）を伝動回転させている。
【００１３】
カム板（１１）の中心軸（１１−１）の反対側の中心より偏心させた距離の位置の穴（１１−２−１）に図９のように偏心軸（１１−２）を取り付けるがカム板の中心からの距離は滑り台（１０）の前から後ろへ、又は後ろから前へとスライドさせる距離の半分に相当する。もう一方の図５の本体板（１−２）の円形の部分（３）の内側で偏心軸（１１−２）を円形軌道で動かす直径よりやや大きい円形の穴（３−１）を偏心軸（１１−２）に接触しないように開け、図１、図３のように本体板（１−２）の外側で偏心軸（１１−２）と前記滑り台（１０）の後ろ側の横に取り付けた連結ピン（１０−２）を図８の連結棒（１８）によって連結させることによりカム板（１１）が回転すると毛抜き形掴み機（８）を取り付けた滑り台（１０）がスライド面（９）を往復し、滑り台（１０）の連結ピン（１０−２）とカム板（１１）の編心軸（１１−２）の先端部には連結棒（１８）が外れないようにスナップリング溝（１７）を加工しスナップリングを嵌めれるようにしてある。
【００１４】
さらに毛抜き形掴み機（８）が魚の骨（１９）を掴んで引き抜けれるように毛抜き形掴み機の上側（８−２）を押さえる図１１の押さえスライド板棒（２０）を設け、その押さえスライド板棒（２０）は後記するテコ棒（２１）の作用点の位置で押さえられ、押さえスライド板棒（２０）の下側の面の滑り面（２０−１）は毛抜き形掴み機が魚の骨（１９）を掴んで毛抜き形掴み機の上側（８−２）が接してスライドするところであり、その滑り面（２０−１）は毛抜き形掴み機の上側（８−２）を押さえて魚の骨（１９）を掴んで引き抜いている時は本体（１）のスライド面（９）と平行になっていなければならない。押さえスライド板棒（２０）の後ろ側の末端は図４、図５の拳銃形の本体板（１−１）と（１−２）のスライド面（９）の後端の上側の位置を支点にして取り付けるため、その支点に穴（４−２）を開け、押さえスライド板棒（２０）の前側が上下に動くように押さえスライド板棒（２０）の後端の支点穴（２０−３）に図１１の（３）の支点ピン（２０−２）の胴体部が入り、そのピン（２０−２）の両端はネジ部になっておりそのピン（２０−２）によって二枚の本体板（１−１）と（１−２）の穴（４−２）の間で支えられ、両端のネジ部をメネジで固定している。
【００１５】
さらに毛抜き形掴み機（８）が魚の骨（１９）を掴んでそのまま引き抜きながら後側にスライドした時に魚の骨（１９）を放すように、図１２のへの字形のテコ棒（２１）を設け、そのテコ棒（２１）の作用点になる先端部分に穴（２１−３）を開け、その穴と前記押さえスライド板棒（２０）の滑り面（２０−１）の上側部分にテコ棒の取り付け穴（２０−４）を合わせ押さえスライド板棒（２０）の上側の両側を挟むように作用点ピン（２１−１）によって取り付け、そのピンの両端はテコ棒が外れないようにスナップリング溝（１７）が加工されスナップリングを嵌めれるようにしている。テコ棒（２１）の支点になる部分は支点ピン（２１−２）が入るように支点穴（２１−４）が開けられ図４、図５の拳銃形の本体板（１−１）と（１−２）の円形の部分の前の上側のコブのような部分（４）に穴（４−１）が開けられ支点ピン（２１−２）によって二枚の本体板（１−１）と（１−２）の穴（４−１）の間でテコ棒の作用点になる部分と後記する力点の部分が動くようにその支点ピン（２１−２）の胴体部分で支え、ピンの両側のネジ部でメネジによって固定している。テコ棒（２１）の力点になる後端部分の二股には穴を開けその二股で挟むように図１２の（６）と（７）の正面図と側面図のローラー（２２）を回転可能に図１２の（５）のローラーピン（２２−１）で支え、そのピン（２２−１）はテコ棒（２１）の二股の両端の穴で打ち込み固定している。
【００１６】
そのローラー（２２）が前記回転する円形状のカム板（１１）の外周面の上段（１１−３）に乗に乗り始めた時は図１６のように毛抜き形掴み機（８）が最先端に来た時でテコ棒（２１）の支点より後ろ側は上に動き、テコ棒（２１）の支点より前側は下に動くことにより押さえスライド板棒（２０）が押さえられることによって毛抜き形掴み機の上側（８−２）が下に動くことで魚の骨（１９）を掴むようになり、それを掴んだままスライドして最後端に来た時は図１８のようにローラー（２２）がカム板（１１）の外周面の下段（１１−４）に乗ることによってテコ棒（２１）の支点より後ろ側は下に動き、テコ棒（２１）の支点より前側は上に動くことにより押さえスライド板棒（２０）が上がることによって毛抜き形掴み機の上側（８−２）が上に動くことにより毛抜き形掴み機（８）が開き魚の骨（１９）を放すようになる。
【００１７】
カム板（１１）が回転している時にテコ棒（２１）のローラー（２２）がカム板（１１）の外周面で跳ね上がらないようにするために図１２の（１）と（２）のようにローラー（２２）の近くにあるテコ棒（２１）の側面にバネ用のピン（２１−６）を打ち込み、そのピン（２１−６）の外端の部分は図４のカム板（１１）の中心軸（１１−１）を支える本体板（１−１）のバネ用ピンが入る上下に長穴の抜け穴（２１−７）を通り抜け外に出ている。そのピン（２１−６）の外端部の外周にバネ取り付け溝（２１−８）を加工し、その溝に図２の（１）のようにバネ（２１−５）の上側の端の丸くなっている部分を引っ掛け、そのバネ（２１−５）の下側は本体板（１−１）のスライド面（９）の後端の下近くのバネ取り付けネジ穴（２１−９）に取り付けたネジにバネの丸くなっている部分を引っ掛けてテコ棒（２１）のローラー（２２）が回転するカム板（１１）の外周面で跳ね上がらないように押さえている。
【００１８】
そして、毛抜き形掴み機（８）が後側にスライドして開いても毛抜き形掴み機（８）の先に魚の骨（１９）が付いている時があるため毛抜き形掴み機の上側（８−２）と下側（８−１）の先を掃除する図１４の（２）のブラシ（２３）を設け、そのブラシ（２３）を毛抜き形掴み機の上側（８−２）と下側（８−１）の間に取り付けるために毛抜き形掴み機（８）が最先端にスライドした時には毛抜き形掴み機の上側（８−２）と下側（８−１）の間の最後端に取り付けられるようにするが毛抜き形掴み機が最後端にスライドした時に毛抜き形掴み機（８）の先の後ろにブラシが打つかってしまうため、図１８のように毛抜き形掴み機（８）が最後端にスライドする手前の位置で押さえスライド板棒（２０）が上がって毛抜き形掴み機（８）が開くようにカム板（１１）を外周の上段（１１−３）から下段（１１−４）に乗るタイミングを早くすることによって毛抜き形掴み機（８）が最後端に来た時毛抜き形掴み機の上側（８−２）と下側（８−１）の先の間にブラシ（２３）が入る位置か、毛抜き形掴み機（８）の先のやや前に出る位置に取り付らけれるようになり、その位置でブラシ（２３）が毛抜き形掴み機の上側（８−２）と下側（８−１）の間を通るように図１、図２、図１５、図１６、図１７、図１８、図１９、図２０のように二枚の本体板（１−１）と（１−２）のスライド面（９）の反対側の外の両側にブラシ（２３）の取り付け板（２３−１）を取り付けられるように図４、図５の取り付け板（２３−１）の取り付けネジ穴（２３−４）に図１４の（１）の三角形の取り付け板（２３−１）の取り付け穴（２３−３）を合わせネジで固定し、三角形の取り付け板（２３−１）の頂点で橋渡しするように図１３の（２）のブラシ（２３）を取り付け、そのブラシの両端は曲げてあり、曲げてある手前の部分を三角形の取り付け板（２３−１）の頂点にある溝（２３−２）に入れ下に曲がっている両端をネジ穴（２３−５）とネジの間で取り付け固定したことを特徴とする魚の骨抜き機
【実施例】
【００１９】
拳銃形の魚の骨抜き機を図１、図２のように製作するために図４、図５のような拳銃形の本体（１）になる板を二枚作り、その板（１−１）と（１−２）は鉄でも良いが錆びが生じ塗装しても剥がれることがあるため、衛生上、アルミ、ステンレスが望ましい。拳銃形の本体板（１−１）と（１−２）の砲身にあたる部分は図４、図５のように先端（７）の部分を除いて内側に９０度曲げてスライド面（９）とする。本体板の先端（７）の部分は魚の骨（１９）に照準を合わせて骨（１９）を乗せるところであり、後記する毛抜き形掴み機の下側（８−１）の先の形状に合わせて図１３の（３）と（４）のように内側に曲げて先端を接合させる。スライド面（９）の後ろの部分の円形状の部分（３）は二枚の本体板（１−１）と（１−２）を間隔を取って合わせた間に入る後記するカム板（１１）が回転するところであり、図４の（１）のようにその中心にはカム板（１１）の中心軸（１１−１）の軸受けが入る穴（１２）を開けてその中に鍔付の軸受け（１３）を図２の（２）、図３のように嵌める。円形状の部分（３）の上側の前の部分はコブのような部分（４）にして、その前の部分に穴（４−１）を開け、その本体板（１−１）と（１−２）の穴（４−１）に後記するテコ棒（２１）の支点の部分の穴を合わせピン（２１−２）でテコ棒（２１）を支えている。スライド面の後端の上の穴（４−２）を開け、後記する毛抜き形掴み機の上側（８−２）を押さえる押さえスライド板棒（２０）の末端を支えるピンのネジ部が入る穴（４−２）である。図５の本体板（１−２）の円形の部分（３）の中に大きな穴（３−１）を開け、その穴（３−１）は後記するカム板（１１）の偏心軸（１１−２）が時計方向に円形軌道で動くところである。これらの図４、図５の拳銃形の本体板二枚（１−１）と（１−２）を図２の（２）のように向かい合わせで間隔を取って平行に保持するために間隔ピン（６）の胴体部で支え、胴体部の両側にネジ部があり、そのネジ部が本体板（１−１）と（１−２）の１０個の穴（６−１）に入りメネジで固定させる。
【００２０】
前記スライド面をスライドする図７の（１）と（２）のような前から見て横Ｈ形の滑り台（１０）を作り、Ｈ形の溝（１０−１）に図３、図１３の（２）のように二枚の本体板のスライド面（９）が入るようにする。滑り台の前部は図１３の（１）と（２）のように図６の毛抜き形掴み機（８）が乗り滑り台の下から毛抜き形掴み機の下側（８−１）をネジで止め動かぬように固定して、毛抜き形掴み機（８）は図６の（３）のように弾性があり通常開いたままになっている。図６の（２）は毛抜き形掴み機の上側（８−２）から押さえて閉じている状態である。滑り台の後部は図７の（３）の連結ピン（１０−２）を図７の（１）と（２）のように打ち込んで、その先端は横外側に出ている。この連結ピン（１０−２）が後記する連結棒（１８）の前側の穴（１８−１）に入る。
【００２１】
二枚の本体板（１−１）と（１−２）の円形の部分（３）の間に入る円形状のカム板（１１）は図９のように中心の穴（１１−１−１）に中心軸（１１−１）を取れないように打ち込み、その中心軸（１１−１）の反対側から中心から離れた位置の偏心位置の穴（１１−２−１）に偏心軸（１１−２）を取れないように打ち込み、その中心からの偏心軸（１１−２）の位置の距離は前記スライド面（９）を毛抜き形掴み機（８）が先端から後端までスライドする半分の距離である。図２、図３のように中心軸（１１−１）は図４の片方の本体板（１−１）の円形の部分（３）の中心部に開けた穴（１２）に鍔付の軸受け（１３）を嵌め、その軸受け（１３）の穴に中心軸（１１−１）を回転可能に入れ、中心軸（１１−１）は本体板（１−１）の外側で図１０のギア（１４）を取り付け、そのギア（１４）にはキー溝が加工され、中心軸（１１−１）にもギア（１４）の位置にキー溝が加工されキーによって中心軸（１１−１）とギア（１４）を固定する。取り付けられたギア（１４）が軸方向に動かないように中心軸（１１−１）にあるスナップリング溝（１７）にスナップリングを嵌める。中心軸（１１−１）の先端部はギア（１４）を被うケーシング（１５）の穴に鍔付きの軸受け（１３）を入れ、その軸受け（１３）の穴に入れる。ケーシングの中心軸の軸受け（１３）の穴から離れたところにギア（１４）の半径分とモーター軸のギア（１６−１）の半径分の位置ぐらいにモーター軸に取り付けたギア（１６−１）を入れる穴を開け、中心軸（１１−１）にあるギア（１４）とモーター軸のギア（１６−１）を噛み合わせモーター（１６）を下向けでケーシング（１５）の上に取り付ける。モーター（１６）に電気を入れることによってモーター軸のギア（１６−１）から中心軸（１１−１）のギア（１４）に動力が伝動されカム板（１１）が回転する。
【００２２】
円形状のカム板の外周面は上段（１１−３）と下段（１１−４）があり、上段（１１−３）と下段（１１−４）の割合は半々ぐらいになるが、後記するブラシ（２３）の取り付けが関係するため上段（１１−３）から下段（１１−４）へのなり始めを早めにするように作る。カム板（１１）の偏心軸（１１−２）は図５の本体板（１−２）の円形の部分の中の大きな穴（３−１）の中に入ってカム板（１１）が回転した時に円形軌道で動く。図１、図３のように偏心軸（１１−２）と前記した滑り台（１０）の横外に出ている連結ピン（１０−２）を図８の連結棒（１８）の穴（１８−１）に入れることにより連結され、連結棒（１８）が外れないように偏心軸（１１−２）と連結ピン（１０−２）の先端部の外周にはスナップリング溝（１７）が加工してあり、そこにスナップリングを嵌める。
【００２３】
次に図１１の押さえスライド板棒（２０）の後端の穴（２０−３）に支点ピン（２０−２）の胴体部を入れ図４、図５の本体板（１−１）と（１−２）のスライド面（９）の後端の上にある穴（４−２）の間に押さえスライド板棒（２０）の後端を入れ、支点ピン（２０−２）の胴体部の両端にあるネジ部を二枚の本体板の支点穴（４−２）に入れ外側からメネジで固定する。
【００２４】
次に図１２のヘの字形のテコ棒（２１）の支点を二枚の本体板（１−１）と（１−２）の円形の部分（３）の前の上側のコブのような部分（４）の前部の間に取り付けるためにテコ棒（２１）の支点の穴（２１−４）に支点ピン（２１−２）の胴体部分を入れ、その支点ピン（２１−２）の胴体部分の両端はネジ部になっており、そのネジ部を二枚の本体（１−１）と（１−２）のコブのような部分（４）の前部の穴（４−１）に入れ本体板の外側からメネジで固定する。さらにテコ棒（２１）の先端を押さえスライド板棒（２０）に連結させるために、押さえスライド板棒（２０）の前側の滑り面（２０−１）の上側にある押さえ穴（２０−４）を挟むようにテコ棒（２１）の先端の穴（２１−３）に合わせて作用点ピン（２１−１）を入れ、作用点ピン（２１−１）が抜けないように両端部の外周にはスナップリング溝（１７）が加工してあり、そこにスナップリングを嵌める。さらにテコ棒（２１）の後端の二股の間にローラー（２２）を取り付けるため二股の二つの穴の間にローラー（２２）の穴を合わせローラーが回転可能にローラーピン（２２−１）を入れ、そのローラーピン（２２−１）の両端は二股の二つの穴に打ち込んで固定させる。
【００２５】
カム板（１１）が回転している時にローラー（２２）がカム板（１１）の外周面で跳ね上がらないようにするために図１２のテコ棒（２１）の上面図（１）と側面図（２）のようにローラー（２２）の近くにあるテコ棒（２１）の側面にバネ用のピン（２１−６）を打ち込み、そのピン（２１−６）の外端の部分は図４のカム板（１１）の中心軸（１１−１）を支える本体板（１−１）のバネ用ピン（２１−６）が入る上下に長穴の抜け穴（２１−７）を通り抜け図２の（１）のように外に出るようにする。そのピン（２１−６）の外端の部分の外周にバネ取り付け溝（２１−８）を加工し、その溝にバネ（２１−５）の端の丸くなっている部分を引っ掛け、そのバネ（２１−５）の下側は本体板（１−１）のスライド面（９）の後端の下近くのバネ取り付けネジ穴（２１−９）に取り付けたネジにバネの丸くなっている部分を引っ掛けてテコ棒（２１）のローラー（２２）が回転するカム板（１１）の外周面で跳ね上がらないように押さえる。
【００２６】
次に毛抜き形掴み機の先端を掃除する図１４の（２）の両端が曲げてあるブラシ（２３）を取り付けるために、毛抜き形掴み機（８）が最先端にスライドした時に毛抜き形掴み機の上側（８−２）と下側（８−１）の間の後端にブラシ（２３）を取り付けられるように、又、毛抜き形掴み機（８）が最後端にスライドした時に毛抜き形掴み機（８）の先の間か、その先のやや前にブラシ（２３）が取り付けられる位置にスライド面の反対側の本体板（１−１）（１−２）の外側にブラシ（２３）の取り付け板（２３−１）の取り付けネジ穴（２３−４）を開け、図１４の（１）のブラシ（２３）の三角形の取り付け板（２３−１）の下側の穴（２３−３）を合わせ両側からネジで取り付ける。三角形の取り付け板（２３−１）の頂点には溝（２３−２）がありその溝（２３−２）に橋渡しするようにブラシ（２３）の曲げてある両端の手前の部分を入れ下に曲げてある部分の位置のネジ穴（２３−５）との間でネジで固定する。これで全ての部品が組みつけられ動く状態にありますが、図面に描いてありませんが安全のために拳銃形の骨抜き機の本体板（１−１）と（１−２）の円形の部分（３）の部品の回転部分と持ちやすくする為にカバーを取り付け、ハンド部分の前側の上にモーターを回転させるための電源スイッチを取り付ければ製品となるわけです。
【００２７】
次に図１５、図１６、図１７、図１８、図１９、図２０をもって拳銃形の骨抜き機がどのように魚の骨を掴んで引き抜くかを説明すると、図１５は毛抜き形掴み機（８）が最先端の手前にある状態であり本体（１）の先端（７）に魚の骨（１９）が乗っている。カム板（１１）は時計回りに回転してテコ棒（２１）の力点にあるローラー（２２）はカム板（１１）の外周面の下段（１１−４）にあり上段（１１−３）の手前にある。ローラー（２２）が下段（１１−４）に乗っている時のカム板（１１）はテコ棒（２１）の作用点にある押さえスライド板棒（２０）が上がっているため、毛抜き形掴み機の上側（８−２）は上がって開いている。
【００２８】
さらにカム板（１１）が回転すると、図１６からカム板（１１）の偏心軸（１１−２）が左真横に来るため毛抜き形掴み機（８）が本体（１）の最先端にスライドして、テコ棒（２１）の力点のローラー（２２）はカム板（１１）の外周面の上段（１１−３）に乗り始めるため、テコ棒（２１）の作用点にある押さえスライド板棒（２０）が下がり毛抜き形掴み機の上側（８−２）が押さえられ魚の骨（１９）を掴むようになる。
【００２９】
さらにカム板（１１）が回転すると、図１７からカム板（１１）の偏心軸（１１−２）が上にくるため毛抜き形掴み機（８）が後ろへスライドして途中にある。テコ棒（２１）の力点のローラーは（２２）カム板（１１）の外周面の上段（１１−３）に乗っているため、テコ棒（２１）の作用点にある押さえスライド板棒（２０）は下がったまま毛抜き形掴み機の上側（８−２）は押さえられ魚の骨を掴んでいる。
【００３０】
さらにカム板（１１）が回転すると、図１８からカム板（１１）の偏心軸（１１−２）が右真横の手前（やや上）にくるため毛抜き形掴み機（８）は最後端の手前までスライド途中にあるが、この地点で毛抜き形掴み機の上側（８−２）が開いて魚の骨（１９）をあえて放すようにしている。テコ棒（２１）の力点のローラー（２２）はカム板（１１）の外周面の下段（１１−４）に乗り始めるため、テコ棒（２１）の作用点にある押さえスライド板棒（２０）は上がり毛抜き形掴み機の上側（８−２）はその弾性によって跳ね上がり魚の骨（１９）を放す。毛抜き形掴み機（８）が最後端に来る手前で開くようにする理由は毛抜き形掴み機（８）が後ろへスライドする途中のこの地点で毛抜き形掴み機の上側（８−２）と下側（８−１）の先の間を通るスライド面（９）の外横の本体で橋渡しして取り付けてある掃除ブラシ（２３）が毛抜き形掴み機（８）の先に当たらないようにするために毛抜き形掴み機（８）が最後端にスライドする手前で毛抜き形掴み機（８）が開くようにしてある。掃除ブラシ（２３）を取り付けるのは毛抜き形掴み機（８）が開いても魚の骨（１９）が毛抜き形掴み機（８）の先に付いている時があるためである。
【００３１】
さらにカム板（１１）が回転すると、図１９からカム板（１１）の偏心軸（１１−２）が右真横に来るため毛抜き形掴み機（８）は最後端に来る。テコ棒（２１）の力点にあるローラー（２２）はカム板（１１）の外周面の下段（１１−４）に乗っているため、テコ棒（２１）の作用点にある押さえスライド板棒（２０）は上がったままになり、毛抜き形掴み機（８）も開いたままになる。掃除用のブラシ（２３）は開いている毛抜き形掴み機（８）の先の間の前に来るが、途中、毛抜き形掴み機（８）の開いている上側（８−２）と下側（８−１）の先を掃除している。
【００３２】
さらにカム板（１１）が回転すると、図２０からカム板（１１）の偏心軸（１１−２）が真下に来るため毛抜き形掴み機（８）は前進して途中にある。テコ棒（２１）の力点にあるローラー（２２）はカム板（１１）の外周面の下段（１１−４）に乗っているため、テコ棒（２１）の作用点にある押さえスライド板棒（２０）は上がったままになり、毛抜き形掴み機（８）も開いたまま前進するため、掃除ブラシ（２３）は再び毛抜き形掴み機の上側（８−２）と下側（８−１）の先を掃除しながら毛抜き形掴み機（８）の中の後ろへと位置する途中にある。以下の順序は再び図１５の説明に戻る。
【産業上の利用可能性】
【００３３】
この明細書で説明している拳銃形の魚の骨抜き機は速く確実に魚の骨を抜くことを目的として、それによって魚の骨を抜く時間が短縮し手間が掛からなくなり、魚の骨抜き機も安価で製作できることで産業上の利用可能性として大いに役立つものであります。
【符号の説明】
【００３４】
１  拳銃形の本体
１−１  図４の本体板
１−２  図５の本体板
２  砲身にあたる部分    
３  円形の部分
３−１  偏心軸の円形軌道の穴  
４  コブのような部分
４−１  テコ棒の支点の本体板の穴
４−２  押さえスライド板棒の支点の本体板の穴
５  ハンド部分
６  間隔ピン
６−１  間隔ピンのネジ部が入る穴  
７  本体板の先端  
８  毛抜き形掴み機
８−１  毛抜き形掴み機の下側
８−２  毛抜き形掴み機の上側
９  スライド面  
１０  滑り台  
１０−１  滑り台の溝
１０−２  滑り台の連結ピン
１１  カム板
１１−１  中心軸
１１−１−１  中心の穴
１１−２  偏心軸
１１−２−１  偏心位置の穴
１１−３  カム板の外周面の上段面
１１−４  カム板の外周面の下段面  
１２  軸受けが入る穴
１３  鍔付きの軸受け
１４  ギア
１５  ケーシング
１６  モーター
１６−１  モーター軸のギア
１７  スナップリング溝
１８  連結棒
１８−１  連結棒の穴
１９  魚の骨
２０  押さえスライド板棒
２０−１  滑り面
２０−２  支点ピン
２０−３  支点穴
２０−４  テコ棒の取り付け穴
２１  テコ棒
２１−１  作用点ピン
２１−２  支点ピン
２１−３  作用点穴
２１−４  支点穴
２１−５  バネ
２１−６  バネ用ピン
２１−７  バネ用ピンの抜け穴
２１−８  バネ取り付け溝
２１−９  バネ本体板取り付けネジ穴
２２  ローラー
２２−１  ローラーピン
２３  ブラシ
２３−１  取り付け板  
２３−２  溝
２３−３  取り付け板の取り付け穴
２３−４  取り付け板の取り付けネジ穴
２３−５  ブラシの取り付けネジ穴
【図１】
2012235725.tif 000003
【図２】
2012235725.tif 000004
【図３】
2012235725.tif 000005
【図４】
2012235725.tif 000006
【図５】
2012235725.tif 000007
【図６】
2012235725.tif 000008
【図７】
2012235725.tif 000009
【図８】
2012235725.tif 000010
【図９】
2012235725.tif 000011
【図１０】
2012235725.tif 000012
【図１１】
2012235725.tif 000013
【図１２】
2012235725.tif 000014
【図１３】
2012235725.tif 000015
【図１４】
2012235725.tif 000016
【図１５】
2012235725.tif 000017
【図１６】
2012235725.tif 000018
【図１７】
2012235725.tif 000019
【図１８】
2012235725.tif 000020
【図１９】
2012235725.tif 000021
【図２０】
2012235725.tif 000022